(57)【要約】【課題】車内の娯楽性を向上することができること。【解決手段】車両に搭載される車載装置は、地域と関連付けられたアイコンを地域別アイコン情報として記憶し、また、目的地までの経路を車両が移動する過程における車両の位置情報や目的地の位置情報を取得し、地域別アイコン情報から取得した位置情報に基づいて地域別アイコンを決定し、決定された地域別アイコンを、経路に関する表示画面や目的地に関する表示画面に含めて表示するように構成する。【選択図】図２
2012122777.tif 000002
【特許請求の範囲】
【請求項１】
車両に搭載される車載装置であって、
地域と関連付けられた地域別アイコンを取得する地域別アイコン取得手段と、
前記取得された地域別アイコンを表示部へ表示する表示手段と、
を備えたことを特徴とする車載装置。
【請求項２】
地域と関連付けられた地域別アイコンを含む地域別アイコン情報を記憶する地域別アイコン情報記憶手段と、
位置情報を取得する位置情報取得手段と、
前記地域別アイコン情報記憶手段に記憶される前記地域別アイコン情報と前記位置情報とに基づいて前記地域別アイコンを決定する地域別アイコン決定手段と
を備え、
前記地域別アイコン取得手段は、前記地域別アイコン決定手段で決定された前記地域別アイコンを取得することを特徴とする請求項１に記載の車載装置。
【請求項３】
前記車載装置と通信可能な外部装置は、
地域と関連付けられた地域別アイコンを含む地域別アイコン情報を記憶する地域別アイコン情報記憶手段と、
位置情報を取得する位置情報取得手段と、
前記地域別アイコン情報記憶手段に記憶される前記地域別アイコン情報と前記位置情報とに基づいて前記地域別アイコンを決定する地域別アイコン決定手段と
を備え、
前記地域別アイコン取得手段は、前記地域別アイコン決定手段によって決定された前記地域別アイコンを取得することを特徴とする請求項１に記載の車載装置。
【請求項４】
前記地域別アイコン決定手段は、
目的地までの経路を前記車両が移動する過程において前記車両の前記位置情報に基づいて前記地域別アイコンを決定し、
前記表示手段は、
前記地域別アイコン決定手段によって決定された前記地域別アイコンを前記経路に関する表示画面に含めて表示することを特徴とする請求項２または３に記載の車載装置。
【請求項５】
前記地域別アイコン決定手段は、
目的地の前記位置情報に基づいて前記地域別アイコンを決定し、
前記表示手段は、
前記地域別アイコン決定手段によって決定された前記地域別アイコンを前記目的地に関する表示画面に含めて表示することを特徴とする請求項２〜４のいずれか一つに記載の車載装置。
【請求項６】
前記地域別アイコン情報は、アイコンが時節に関連付けられており、
前記地域別アイコン決定手段は、
前記車両が移動する過程において時節に基づいて前記地域別アイコンを決定することを特徴とする請求項２〜５のいずれか一つに記載の車載装置。
【請求項７】
前記地域別アイコン情報は、アイコンが音声に関連付けられており、
前記地域別アイコン決定手段によって決定された前記地域別アイコンに関連付けられる前記音声の出力を行う出力手段
をさらに備えたことを特徴とする請求項２〜６のいずれか一つに記載の車載装置。
【発明の詳細な説明】
【技術分野】
【０００１】
この発明は、車内の娯楽性を向上することができる車載装置に関する。
【背景技術】
【０００２】
従来、車両の前席付近と後席付近とに備える車載機器の双方から目的地の設定操作を行うことができるナビゲーション機能を有する車載装置が知られている。たとえば、特許文献１には、後席に備える車載装置から目的地設定が行われた場合に、前席に備える車載装置は、モニタへ表示された目的地設定の確認画面から認証を促すボタンの押下を感知したならば、目的地の設定を反映する車載装置が記載されている（たとえば、特許文献１参照）。
【先行技術文献】
【特許文献】
【０００３】
【特許文献１】特開２００８−２０３９６号公報
【発明の概要】
【発明が解決しようとする課題】
【０００４】
ところで、従来の車載装置では、車内の乗員を安心かつ安全に目的地へ誘導することを目的としており、車内のエンターテイメント性については考慮されていないという問題があった。
【０００５】
これらのことから、車内の娯楽性を向上することができる車載装置をいかにして実現するかが大きな課題となっている。
【０００６】
この発明は、上述した従来技術による問題点を解消するためになされたものであり、車内の娯楽性を向上することができる車載装置を提供することを目的とする。
【課題を解決するための手段】
【０００７】
上述した課題を解決し、目的を達成するため、本発明は、車両に搭載される車載装置であって、地域と関連付けられた地域別アイコンを取得する地域別アイコン取得手段と、前記取得された地域別アイコンを表示部へ表示する表示手段とを備えたことを特徴とする。
【発明の効果】
【０００８】
本発明によれば、車両に搭載される車載装置は、地域と関連付けられた地域別アイコンを含む地域別アイコン情報を記憶し、位置情報を取得し、地域別アイコン情報と位置情報とに基づいて地域別アイコンを決定し、決定された地域別アイコンを取得し、取得された地域別アイコンを表示部へ表示することとしたので、車内の娯楽性を向上することができるという効果を奏する。
【図面の簡単な説明】
【０００９】
【図１】図１は、本実施例に係る車載装置の概要を示す図である。
【図２】図２は、本実施例に係る車載装置の構成を示すブロック図である。
【図３】図３は、ご当地アイコン情報の一例を示す図である。
【図４】図４は、ルート案内表示画面の一例を示す図である。
【図５】図５は、ご当地アイコンの一例を示す図である。
【図６】図６は、車載装置が実行する処理手順の概要を示すフローチャートである。
【図７】図７は、変形例に係る表示画面を説明するための図その１である。
【図８】図８は、変形例に係る表示画面を説明するための図その２である。
【発明を実施するための形態】
【実施例】
【００１０】
以下に添付図面を参照して、本発明に係る車載装置の好適な実施例を詳細に説明する。なお、以下では、本発明に係る車載装置の概要について図１を用いて説明した後に、本発明に係る車載装置についての実施例を図２〜図８を用いて説明することとする。まず、本発明に係る車載装置の概要について図１を用いて説明する。
【００１１】
図１は、本発明に係る車載装置の概要を示す図である。ここでは、利用者によって設定された目的地に基づき、地図とともにかかる目的地までのルート等を報知するナビゲーション機能を有する車載装置について説明する。しかし、車載装置とナビゲーション機能とは別体とする構成であってもよい。
【００１２】
本発明に係る車載装置では、自車両や目的地等の位置情報を示す場所にゆかりのあるアイコン（以下、「ご当地アイコン」と記載する）とともにナビゲーションに関する情報（以下、「ナビ情報」と記載する）を報知することによって、車内の娯楽性を向上することができる点に主たる特徴がある。
【００１３】
なお、「ご当地アイコン」は、具体的には、位置情報を示す場所が出生地である有名人を示すアイコンであったり、かかる場所に建立されている建物や、かかる場所の特産品のアイコンであったりしてもよい。
【００１４】
本発明に係る車載装置は、図１の（Ａ）に示すように、地域別に関連付けられているアイコン画像をご当地アイコン情報として記憶されているとする。なお、かかる地域は、エリアを分類するものであり、たとえば、都道府県別に分類されていてもよいし、さらに、市や町等に分類されていてもよい。
【００１５】
車載装置は、目的地へのルートを走行中にナビ情報を報知する場合に、自車両の位置情報に応じた「ご当地アイコン」をご当地アイコン情報から検索し、決定する（図１（Ａ）の（１）参照）。
【００１６】
なお、ナビ情報とは、たとえば、ルート走行中に要所でルートの案内を表示するルート案内表示のことを指し、また、自車両の位置情報については、ＧＰＳ（Global  Positioning  System）から受信したデータに基づいて位置情報を特定するものとする。
【００１７】
ここで、「ご当地アイコン」を決定する一例を説明する。アイコン画像と関連付けられている地域に関する情報は、エリア毎（都道府県別、市町村別など）に所定の緯度・経度情報を含むように設定されている。そして、自車両の位置情報として取得されたＧＰＳの受信データには緯度・経度情報が含まれており、自車両が存在している緯度・経度（自車両の緯度・経度）が特定される。特定された自車両の緯度・経度の情報が、いずれのエリアに含まれるかを判定し、判定の結果によって特定されたエリアと関連付けられた「ご当地アイコン」が決定される。
【００１８】
そして、車載装置は、決定された「ご当地アイコン」とともにルート案内表示、ここでは、「次の信号を左折です。」というルート案内を車載装置の表示操作部へ表示する（図１（Ａ）の（２）参照）。
【００１９】
また、図１の（Ｂ）に示すように、車載装置は、自車両が目的地へのルートを走行中に、地域Ａ内の地点を通過する際、ナビ情報を表示する場合には、ご当地アイコンＡを表示する。
【００２０】
さらに、車載装置は、地域Ｂ内の地点を通過する際に、ナビ情報を表示する場合には、ご当地アイコンＢを表示する。なお、車載装置では、「ご当地アイコン」を表示するだけでなく、地域別に分類されたルート案内の音声、たとえば、方言による音声によってルート案内を報知することとしてもよい。
【００２１】
このように、本発明に係る車載装置は、自車両や目的地等の位置情報に応じた「ご当地アイコン」を決定し、決定された「ご当地アイコン」とともにナビ情報を表示操作部へ表示することとした。したがって、本発明に係る車載装置によれば、車内の娯楽性を向上することができる。
【００２２】
また、たとえば、県境を越える際に表示される「ご当地アイコン」を切り替えるような表示をおこなえば、車内の娯楽性を向上させることができるとともに、ドライバーにとっては、「ご当地アイコン」を確認することによって、自分がいまどこの地域にいるのかを瞬時に認識することが可能となる。
【００２３】
なお、ここでは、自車両の位置情報に応じた「ご当地アイコン」を表示することとしたが、利用者によって目的地の設定操作が行われた場合には、設定された目的地に応じた「ご当地アイコン」を表示することとしてもよい。この場合、車内の娯楽性が向上するだけでなく、たとえば、同乗者によって変更された目的地を、ドライバーが瞬時に視認することが可能となる。
【００２４】
また、ここでは、車載装置が「ご当地アイコン」を決定することとしたが、「ご当地アイコン」を決定する機能を有する外部装置（例えば、携帯装置やサーバー等）と通信可能な車載装置であれば、外部装置によって決定された「ご当地アイコン」を車載装置が受信し、そして、車載装置がナビ情報を表示する場合に、受信した「ご当地アイコン」を表示するようにしてもよい。
【００２５】
この場合、車載装置から自車両の位置情報として取得されたＧＰＳの受信データを外部装置に送信することで、外部装置は「ご当地アイコン」を決定することが可能となる。
このような構成にすれば、外部装置ごとにアイコンの画像のバリエーションを増やすこともできるし、また、車載装置のメモリの容量も削減できる。
【００２６】
以下では、図１を用いて説明した本発明に係る車載装置についての実施例を詳細に説明する。まず、本実施例に係る車載装置の構成について図２を用いて説明する。図２は、本実施例に係る車載装置１０の構成を示すブロック図である。なお、図２では、車載装置１０の特徴点を説明するために必要な構成要素についてのみ記載している。
【００２７】
図２に示すように、本実施例に係る車載装置１０は、携帯装置２０との通信リンクが確立されたならば「ご当地アイコン」を表示する場合について説明するが、これに限定されるものではなく、他の構成にて実施されてもよい。例えば、携帯装置２０の代わりに、車載装置１０と通信可能なサーバーによって実施されてもよい。
【００２８】
車載装置１０は、近距離通信部１１と、通信Ｉ／Ｆ（インターフェース）１２と、表示操作部１３と、記憶部１４と、制御部１５とを備えている。また、制御部１５は、位置情報取得部１５ａと、アイコン決定部１５ｂと、ルート案内表示部１５ｃと、携帯装置検知部１５ｄと、地図情報送信部１５ｅとをさらに備えており、記憶部１４は、ご当地アイコン情報１４ａと、目的地情報１４ｂと、地図情報１４ｃとを記憶する。
【００２９】
近距離通信部１１は、ブルートゥース（Bluetooth：登録商標）などの近距離無線通信を用いて携帯装置２０との通信リンクをそれぞれ確立するとともに、確立した各通信リンクを用いて車載装置１０と携帯装置２０との間の通信処理を行う。
【００３０】
ここで、ブルートゥース（登録商標）とは、２．４ＧＨｚの周波数帯を用いて半径数１０ｍ程度の無線通信を行う近距離無線通信規格であり、近年では、携帯電話やパーソナルコンピュータなどの電子機器に広く適用されている。
【００３１】
ここでは、ブルートゥース（登録商標）を用いて車載装置１０／携帯装置２０間の通信を行う場合について説明するが、Ｗｉ−Ｆｉ（ワイファイ：登録商標）、ＺｉｇＢｅｅ（ジグビー：登録商標）のような他の無線通信規格を用いることとしてもよい。また、車載装置１０／携帯装置２０間の通信を有線通信で行うこととしてもよい。
【００３２】
通信Ｉ／Ｆ１２は、無線電波等を送受信する図示しないアンテナに接続されており、無線通信を行うための通信デバイスで構成され、ＧＰＳ（Global  Positioning  System）衛星と車載装置１０との間で、光または電波によってデータの送受信を行う。
【００３３】
表示操作部１３は、ルート案内表示や地図画像を表示する表示部と、目的地やルート等の設定操作を受け付ける操作部とを備えている。たとえば、表示操作部１３の表示部には、地図画像を表示するディスプレイを備えており、また、操作部には、目的地の選択操作を行うボタン、「ＯＫボタン」および「キャンセルボタン」を備えている。
【００３４】
なお、表示操作部１３に備えるディスプレイや各種操作を行う構成部品を限定する必要はない。したがって、表示操作部１３は、指やポインティングデバイスなどの押圧感知により入力を受け付け、かつ表示出力も兼ねるタッチパネル式の液晶ディスプレイを用いることとしてもよい。
【００３５】
また、ＨＵＤ（Head-Up  Display）等のディスプレイによってドライバー前方のフロントガラス部分に半透明状に構成してもよいし、ドライバー前方の計器部分に構成してもよいし、また、ドライバー前方のルームミラー部分に構成してもよい。
【００３６】
記憶部１４は、地域別アイコン情報記憶手段を構成し、不揮発性メモリやハードディスクドライブ等の記憶デバイスで構成される記憶部である。この記憶部１４は、携帯装置２０から取得したご当地アイコンをご当地アイコン情報１４ａとして記憶する。
【００３７】
また、記憶部１４は、利用者によって設定された目的地および目的地までのルートを目的地情報１４ｂとして記憶し、地点名に関連付けられているルートや地図等を地図情報１４ｃとして記憶する。なお、ご当地アイコン情報１４ａの詳細については後述することとする。
【００３８】
制御部１５は、車載装置１０の全体制御を行う制御部である。位置情報取得部１５ａは、通信Ｉ／Ｆ１２を介してＧＰＳから受信したデータに基づいて自車両の位置情報を取得する処理を行う処理部である。なお、位置情報取得部１５ａによって取得される位置情報は、利用者によって目的地の設定操作が行われた場合は、設定された目的地であってもよい。
【００３９】
また、位置情報取得部１５ａは、位置情報取得手段を構成し、取得した位置情報を示す場所におけるルート案内表示の有無を判定し、ルート案内表示があると判定された場合に、取得した位置情報をアイコン決定部１５ｂへ渡す処理を併せて行う。
【００４０】
アイコン決定部１５ｂは、地域別アイコン決定手段を構成し、位置情報取得部１５ａから受け付けた位置情報に基づき、ご当地アイコン情報１４ａから位置情報に関連付けられた「ご当地アイコン」を決定する処理を行う処理部である。また、アイコン決定部１５ｂは、決定した「ご当地アイコン」のアイコン画像をルート案内表示部１５ｃへ渡す処理を併せて行う。
【００４１】
これらご当地アイコン情報１４ａを記憶する記憶部１４、位置情報取得部１５ａ、アイコン決定部１５ｂが地域別アイコン取得手段を構成し、位置に応じた「ご当地アイコン」を取得する。
【００４２】
ルート案内表示部１５ｃは、表示手段を構成し、車載装置１０と携帯装置２０とが接続中の場合には、アイコン決定部１５ｂから受け付けた「ご当地アイコン」のアイコン画像とともにルート案内表示を車載装置１０の表示操作部１３へ表示する処理を行う処理部である。ここで、車載装置１０と携帯装置２０とが接続中であるか否かの情報は、携帯装置検知部１５ｄから受け付ける。なお、ルート案内表示の詳細については後述することとする。
【００４３】
また、ルート案内表示部１５ｃは、車載装置１０と携帯装置２０とが接続中でない場合には、「ご当地アイコン」は非表示とし、ルート案内表示を車載装置１０の表示操作部１３へ表示する。また、表示設定に応じて、車載装置１０と携帯装置２０とが接続中でない場合でも「ご当地アイコン」を表示するようにしてもよい。
【００４４】
携帯装置検知部１５ｄは、近距離通信部１１を介して携帯装置２０との通信リンクが確立されている、すなわち、車載装置１０と携帯装置２０とが接続中であることを検知したならば、ルート案内表示部１５ｃへその旨を通知する処理を行う処理部である。
【００４５】
地図情報送信部１５ｅは、地図情報１４ｃに記憶される地図画像（、および位置情報取得部１５ａで取得された位置情報）を、携帯装置２０へ送信する処理を行う処理部である。ここで、地図画像には、地図に関する画像および目的地へのルートに関する画像が含まれる。
【００４６】
また、地図情報送信部１５ｅは、上述してきた制御部１５の処理と並行して、バックグラウンドで、地図情報１４ｃに記憶される地図画像をデフォルメした地図画像（たとえば、イラスト画の地図画像、アニメ画の地図画像など）を作成し、携帯装置２０へ送信することとしてもよい。これにより、携帯装置２０では、携帯装置２０の図示しない表示部のサイズや画素数に応じて表示することが可能となる。
【００４７】
つぎに、車載装置１０の記憶部１４に記憶されるご当地アイコン情報１４ａの詳細について図３を用いて説明する。図３は、ご当地アイコン情報１４ａの一例を示す図である。
【００４８】
図３に示すように、ご当地アイコン情報１４ａは、「地域名」項目と、「アイコン名」項目と、「アイコン画像ファイル」項目とを含んでいる。なお、ご当地アイコン情報１４ａは、かかる項目で構成される情報を１レコードとしたレコードの集合体である。
【００４９】
「地域名」項目は、予め定められたエリアごとに分類されるエリア名であり、たとえば、都道府県別に分類されていてもよいし、さらに、市や町等に分類されていてもよい。ご当地アイコン情報１４ａは、「地域名」項目に関連付けられた「アイコン名」項目や「アイコン画像ファイル」項目を記憶する。
【００５０】
なお、図示しないが、ご当地アイコン情報１４ａは、「地域名」項目に対応する範囲を示す情報（以下、「範囲情報」と記載する）を記憶することとしてもよい。たとえば、所定の地域の範囲を多角形で表した場合には、多角形の頂点の座標に関する情報を「範囲情報」として「地域名」項目に関連付けて記憶させてもよい。
【００５１】
これにより、車載装置１０は、所定の位置情報が多角形で表される範囲に含まれるか否かを判定することによって、「地域名」を特定することができる。また、「地域名」に関連付けて「範囲情報」を地域対応情報として記憶部１４に記憶することとしてもよい。
【００５２】
つぎに、車載装置１０の表示操作部１３のディスプレイへ表示されるルート案内表示の詳細について図４を用いて説明する。図４は、ルート案内表示画面の一例を示す図である。
【００５３】
図４の（Ａ）に示すように、表示操作部１３のディスプレイには、地図上にナビ情報として、目的地および目的地までのルートが表示されているとする。また、地図上の所定の場所（ここでは右上）には、車載装置１０と携帯装置２０とが接続中であることを示すアイコンが表示されている。
【００５４】
ここで、目的地へのルートを走行中の車両に搭載された車載装置１０の表示操作部１３へルート案内表示を表示する場合に、まずアイコン決定部１５ｂは、自車両の位置情報に基づいてご当地アイコン情報１４ａからご当地アイコンを決定する。
【００５５】
そして、図４の（Ｂ）に示すように、ルート案内表示部１５ｃは、ご当地アイコン情報１４ａによって決定されたご当地アイコンとともにルート案内表示（ここでは、「次の信号を左折です。」）を表示操作部１３へ表示する。
【００５６】
なお、ここでは、走行指示を示すルート案内を表示するタイミングで、ご当地アイコンを決定する場合について例示した。しかし、ルート案内表示部１５ｃは、走行中の車両が地域の境界を跨ぐタイミングにご当地アイコンを決定し、表示させることとしてもよい。
【００５７】
たとえば、走行中の車両がＡ県を走行中に、Ｂ県へ差し掛かる際に、ルート案内表示部１５ｃは、Ｂ県に対応するご当地アイコンとともにルート案内表示を表示することとしてもよい。
【００５８】
また、ルート案内表示を地図へ重畳させて表示することとしたが、これに限定されるものではなく、地図表示部の上部へルート案内表示エリアを設け、ルート案内表示エリアへご当地アイコンおよびルート案内表示を表示させることとしてもよい。
【００５９】
つぎに、ルート案内表示部１５ｃが表示する、ご当地アイコンの詳細について図５を用いて説明する。図５は、ご当地アイコンの一例を示す図である。
【００６０】
図３を用いて説明したように、ご当地アイコン情報１４ａには、地域名に関連付けて１種類のご当地アイコン画像ファイルを記憶することとした。しかし、地域名だけでなく走行速度、時刻および季節等とともに関連付けてご当地アイコン画像ファイルをご当地アイコン情報１４ａに記憶させておいてもよい。
【００６１】
たとえば、アイコン決定部１５ｂによって位置情報および走行速度に基づいて決定されたご当地アイコンが、図５の（Ａ−１）に示したようなアイコンであったとする。
【００６２】
ここで、車両が同一地域を走行中に、走行速度が所定の閾値を超えた場合、アイコン決定部１５ｂでは、同一キャラクタ、かつ、表情を変化させたご当地アイコン（図５の（Ａ−２）参照）をご当地アイコン情報１４ａから決定する。そして、ルート案内表示部１５ｃは、ドライバーへ注意を促すメッセージとともに決定されたご当地アイコンを表示する。
【００６３】
また、地域名等に関連付けてご当地アイコン情報１４ａに記憶させるご当地アイコンは、画像ファイルだけではなくアニメーションファイルであってもよい。そして、ルート案内表示部１５ｃは、地域の境界を跨ぐタイミングに、別の地域へ差し掛かる旨のアニメーションをルート案内表示とともに表示することとしてもよい。
【００６４】
たとえば、車両が地域Ａを走行中で、かつ、地域Ｂへ差し掛かるタイミングに、ルート案内表示部１５ｃは、以下のようなアニメーションを表示する。図５の（Ｂ）に示したように、ルート案内表示部１５ｃは、地域Ａのご当地アイコンＡから地域Ｂのご当地アイコンＢへバトンが渡されるアニメーションをルート案内表示とともに表示する。
【００６５】
また、ご当地アイコン情報１４ａへ、ご当地アイコン画像ファイルに対応する地域の方言等で表現されたルート案内の音声ファイルを記憶させておいてもよい。この場合、図５の（Ｃ）に示したように、地域と関連付けられたご当地アイコンを表示し、さらに、音声ファイルを出力することによって、利用者は、地域のイメージを容易に想像することができる。
【００６６】
さらに、ご当地アイコン情報１４ａへ、走行距離やルート案内の内容に関連付けてご当地アイコンを記憶することとしてもよい。この場合、ルート案内表示部１５ｃは、走行距離が所定の閾値を超えたならば、レアなキャラクタの位置づけである特別なご当地アイコンを表示させることができる。
【００６７】
また、ご当地アイコン情報１４ａに記憶されるご当地アイコン画像ファイルを、アイコンのテーマごとに記憶させ、表示操作部１３へ表示するご当地アイコンのテーマを利用者によって設定変更ができることとしてもよい。
【００６８】
具体的には、ご当地アイコンのテーマを、時代、動物、建物および人物と分類し、車載装置１０では、利用者によって設定されたご当地アイコンのテーマに応じたご当地アイコンを表示操作部１３へ表示することとする。このように、年代、性別および趣味等に対応してご当地アイコンの表示を変化させることによって、多くの利用者に対して娯楽性を向上することができる。
【００６９】
つぎに、本実施例に係る車載装置１０が実行するルート案内表示処理手順の詳細について図６を用いて説明する。図６は、車載装置１０が実行する処理手順の概要を示すフローチャートである。ここでは、車載装置１０が目的地へのルートを走行中の自車両の位置情報を取得した場合について説明する。
【００７０】
図６に示すように、位置情報取得部１５ａは、自車両の位置情報を取得したならば（ステップＳ１０１）、表示すべきルート案内があるか否かを判定する（ステップＳ１０２）。
【００７１】
そして、位置情報取得部１５ａによってルート案内があると判定された場合（ステップＳ１０２，Ｙｅｓ）、携帯装置検知部１５ｄは、携帯装置２０が接続中であるか否かを判定する（ステップＳ１０３）。
【００７２】
その後、携帯装置検知部１５ｄによって携帯装置２０が接続中であると判定された場合（ステップＳ１０３，Ｙｅｓ）、アイコン決定部１５ｂは、位置情報に基づいてご当地アイコンを決定する（ステップＳ１０４）。
【００７３】
つづいて、ルート案内表示部１５ｃは、アイコン決定部１５ｂによって決定されたご当地アイコンとともにルート案内を表示操作部１３へ表示して（ステップＳ１０５）、車載装置１０が実行する一連のルート案内表示処理を終了する。
【００７４】
一方、ステップＳ１０２で、位置情報取得部１５ａによってルート案内がないと判定された場合（ステップＳ１０２，Ｎｏ）、車載装置１０が実行する一連のルート案内表示処理を終了する。
【００７５】
また、ステップＳ１０３で、携帯装置検知部１５ｄによって携帯装置２０が接続中ではないと判定された場合（ステップＳ１０３，Ｎｏ）、ルート案内表示部１５ｃは、ルート案内のみを表示操作部１３へ表示して（ステップＳ１０６）、車載装置１０が実行する一連のルート案内表示処理を終了する。
【００７６】
なお、車載装置１０は、自車両が目的地へのルートを走行中であれば、上述したステップＳ１０１〜ステップＳ１０６までの処理を繰り返す。また、車載装置１０は、利用者によって目的地の設定操作が行われた場合には、目的地の位置情報に基づいてご当地アイコンを決定し、ご当地アイコンとともに設定要求に対する確認メッセージを表示操作部１３へ表示する。なお、携帯装置２０が接続中でない場合もご当地アイコンを表示する場合は、ステップＳ１０３、ステップＳ１０６はなくてもよい。
【００７７】
このように、本発明に係る車載装置１０は、自車両や目的地等の位置情報に基づいてご当地アイコンを決定し、決定したご当地アイコンとともにルート案内表示や確認メッセージの表示を表示操作部１３へ表示することとしたので、車内の娯楽性を向上することができる。
【００７８】
なお、上述した実施例では、自車両や目的地等の位置情報に基づいてご当地アイコンを決定して表示するようにしたが、これに限られるものではなく、ルートが通過する地域に基づいて複数のご当地アイコンを決定してまとめて表示するようにしてもよい。たとえば、ルートがＡ地域、Ｂ地域、Ｃ地域を通過する場合に、Ａ地域、Ｂ地域、Ｃ地域に関係する複数のご当地アイコンを決定し、全ルート図とともに表示するようにしてもよい。
【００７９】
また、上述した実施例では、目的地や目的地へのルートの設定操作を車載装置１０で行い、地図画像を車載装置１０および携帯装置２０へ表示する構成とした。しかし、このように、目的地やルートの設定操作を行う装置構成を限定する必要はない。上記した構成以外にも、種々の異なる装置構成にて実施されてよいものである。
【００８０】
以下では、携帯装置２０で目的地やルートの設定操作を行う構成とする変形例について図７および図８を用いて説明する。図７は、変形例に係る表示画面を説明するための図その１であり、図８は、変形例に係る表示画面を説明するための図その２である。
【００８１】
図７の（１）に示したように、車載装置１０の表示操作部１３には、詳細な地図画像Ａとともに目的地やルートが表示されている。そして、携帯装置２０と接続中である場合に、車載装置１０は、ご当地アイコンの表示処理等と並行して、バックグラウンドで地図情報１４ｃに記憶される地図画像をデフォルメした地図画像Ｂを作成する（図７の（２）参照）。
【００８２】
その後、車載装置１０は、携帯装置２０へ地図画像Ｂ（と自車両の位置情報）を送信し、一方、携帯装置２０は、車載装置１０から受信した地図画像Ｂを表示操作部へ表示する（図７の（３）参照）。なお、携帯装置２０は、受信した位置情報に基づき携帯装置２０が有する任意の自車位置マークを地図画像Ｂ上に表示するようにしてもよい。その場合、車載装置１０から送信する地図画像Ｂには自車位置マークは含まれない。これにより、後席に着座する同乗者は、自身の所有する携帯装置２０によって目的地やルートを確認することができる。
【００８３】
また、携帯装置２０は、目的地やルートを設定する場合には、地図画像Ｂとは別に、図７に示したような設定画面を表示して、目的地およびルートの設定操作を受け付けることとなる。
【００８４】
つづいて、図８の（Ａ）に示したように、携帯装置２０の表示操作部には、地図画像Ｂとナビメニューが表示されているとする。たとえば、携帯装置２０は、ナビメニューの「目的地設定」の選択操作を受け付けたならば、図８の（Ｂ）に示したように、携帯装置２０の表示操作部へ目的地設定メニューを表示する。
【００８５】
ここで、携帯装置２０は、「メモリ地点名」の選択操作を受け付けたならば、車載装置１０の地図情報１４ｃから目的地の地点名を取得して、携帯装置２０の表示操作部へメモリ地点名リストを表示する（図８の（Ｃ）参照）。
【００８６】
そして、携帯装置２０は、目的地や図示しないルートの選択操作を受け付けたならば、目的地およびルートとともに、かかる目的地およびルートの設定要求を車載装置１０へ送信する。
【００８７】
一方、車載装置１０は、携帯装置２０から目的地やルートの設定要求を受け付けたならば、受け付けた目的地に基づいてご当地アイコンを決定する。なお、自車両の現在位置に基づいてご当地アイコンを決定してもよい。そして、車載装置１０は、決定されたご当地アイコンとともに目的地およびルートの設定変更要求に対する確認メッセージを車載装置１０の表示操作部１３へ報知する。これにより、ドライバーは目的地の設定要求が行われたことを認識することができ、車載装置１０は、運転の安全性を確保することができる。
【００８８】
その後、車載装置１０は、ドライバーによる確認メッセージに対する認証操作、たとえばご当地アイコン部分の押圧感知による認証操作を受け付けたならば、携帯装置２０から設定変更要求とともに受け付けた目的地およびルートへ設定を反映することとなる。
【００８９】
なお、上述した実施例および変形例では、ご当地アイコン情報１４ａは、予め車載装置１０へ記憶されているものとした。しかし、ＵＳＢ（Universal  Serial  Bus）メモリやＳＤ（Secure  Digital）メモリカード等の持ち運び可能な記憶装置や、センターに記憶されているご当地アイコン情報を、車載装置１０が取得して、記憶部１４へ記憶することとしてもよい。
【００９０】
また、上述した実施例および変形例では、車載装置１０がご当地アイコンを決定するものとしたが、第２の変形例として、携帯装置２０がご当地アイコンを決定するようにしてもよい。
【００９１】
その場合、携帯装置２０がご当地アイコン情報１４ａを予め記憶すると共に、車載装置１０が自車両の位置情報を携帯装置２０に送信することで携帯装置２０が位置情報を取得し、取得した位置情報に基づきご当地アイコンを決定し、決定したご当地アイコンを車載装置１０に送信する。車載装置１０は受信したご当地アイコンをメモリに記憶しておき、経路案内や目的地設定等の案内を行なうときに記憶したご当地アイコンを読み出し表示する。
【００９２】
第２の変形例の場合、携帯装置２０が地域別アイコン情報記憶手段、位置情報取得手段、地域別アイコン決定手段を有する。また、車載装置１０が携帯装置２０から決定されたご当地アイコンを受信する近距離通信部１１が地域別アイコン取得手段を構成する。
【００９３】
なお、第２の変形例において、車載装置１０が図示せぬセンターのサーバや他の外部装置と通信可能な場合は、携帯装置２０を当該外部装置に置き換えることができる。
【００９４】
また、ご当地アイコン情報１４ａに記憶されるご当地アイコン画像は、携帯装置２０やパソコン（Personal  Computer）によって画像の作成や変更を行うことができることとしてもよい。
【００９５】
また、車載装置１０の表示操作部１３や携帯装置２０の表示操作部は、タッチパネル式の液晶ディスプレイと非タッチパネル式のディスプレイとの組み合わせによって、複数のディスプレイを備える構成としてもよい。
【符号の説明】
【００９６】
１０  車載装置
１１    近距離通信部
１２    通信Ｉ／Ｆ
１３    表示操作部
１４    記憶部
１４ａ  ご当地アイコン情報
１４ｂ  目的地情報
１４ｃ  地図情報
１５    制御部
１５ａ  位置情報取得部
１５ｂ  アイコン決定部
１５ｃ  ルート案内表示部
１５ｄ  携帯装置検知部
１５ｅ  地図情報送信部
２０    携帯装置
【図１】
2012122777.tif 000003
【図２】
2012122777.tif 000004
【図３】
2012122777.tif 000005
【図４】
2012122777.tif 000006
【図５】
2012122777.tif 000007
【図６】
2012122777.tif 000008
【図７】
2012122777.tif 000009
【図８】
2012122777.tif 000010